(57)【要約】【課題】  記録装置内の記録媒体の容量不足によって新たなコンテンツの記録ができなくなる事態をユーザの負担なく防止する。【解決手段】記録媒体の空き容量が任意に設定した閾値以下になった場合、自装置の使用状況をチェックし、空き時間を抽出する。また、ムーブ先装置の記録媒体の空き容量や既に記録済みのコンテンツ情報、空き時間を取得し、これらの情報と前記自装置の空き時間を参照して、自装置内の記録済みコンテンツの中からムーブ対象のコンテンツを自動的に選定する。そして、選定したコンテンツを所定の単位でファイル分割し、各ファイルをムーブするスケジュールを生成し、実行する。【選択図】  図４
2007193899.tif 000002
【特許請求の範囲】
【請求項１】
コンテンツを記録または再生するための記録媒体を備えたコンテンツ記録再生装置であって、
前記記録媒体にコンテンツをデジタル記録する記録部と、
前記記録部において記録した前記コンテンツを再生する再生部と、
前記記録部において記録した前記コンテンツを他の装置に対しデジタル出力する出力部と、
所定の時間に前記コンテンツの再生または記録の処理を行うための予約情報を管理するタイマー管理部と、
前記記録媒体の空き容量を監視し、別の記録媒体あるいは予め設定された他の記録装置へ前記出力部を介して任意のコンテンツをムーブし、空き容量を略一定にする制御部と、を備え、
前記制御部は、前記記録媒体の空き容量が予め設定された閾値以下であることを検出すると、前記タイマー管理部から予約情報を取得して自装置の空き時間を抽出し、前記記録媒体に記録した前記コンテンツの中から別の記録媒体あるいは予め設定された他の記録装置へムーブするためのコンテンツを選定し、前記抽出した空き時間の中から前記選定したコンテンツを前記出力部からムーブするためのスケジュールを生成し、前記スケジュールに沿って、ムーブを実行することを特徴とするコンテンツ記録再生装置。
【請求項２】
前記選定したコンテンツを所定のサイズに分割して１つ以上のファイルを生成し、前記抽出した空き時間の中から前記ファイルを前記出力部からムーブするためのスケジュールを生成することを特徴とする請求項１記載のコンテンツ記録再生装置。
【請求項３】
前記制御部がムーブするコンテンツを選定する場合に、前記別の記録媒体あるいは予め設定された記録装置の記録媒体の空き容量を確認し、適切なサイズのコンテンツを選定することを特徴とする請求項１又は２の何れかに記載のコンテンツ記録再生装置。
【請求項４】
前記制御部がムーブするコンテンツを選定する場合に、前記別の記録媒体あるいは予め設定された記録装置の記録媒体に記録されたコンテンツの種別を確認し、類似した種別のコンテンツを選定することを特徴とする請求項３記載のコンテンツ記録再生装置。
【請求項５】
ユーザに対してコンテンツや操作画面を表示する内蔵あるいは外付けの表示部を更に備え、
前記ムーブのスケジュールを生成した場合に、前記表示部にその旨を表示してユーザに通知することを特徴とする請求項１記載のコンテンツ記録再生装置。
【請求項６】
前記生成したスケジュールの時間に到達すると、前記予め設定された記録装置に対してムーブを開始すること、およびムーブ対象のコンテンツに関する少なくともコンテンツ名、分割したファイル名を含む情報を通知することを特徴とする請求項２記載のコンテンツ記録再生装置。
【請求項７】
前記分割したファイルの内１ファイル分をムーブした後、前記予め設定された記録装置から次のファイルのムーブ要求を受信した際に前記１ファイルを削除するあるいは再生不能に設定することを特徴とする請求項６記載のコンテンツ記録再生装置。
【発明の詳細な説明】
【技術分野】
【０００１】
本発明は、デジタル放送等のコンテンツをハードディスク装置（以下、ＨＤＤ）に記録および再生する大容量記録装置に係り、特にＨＤＤ上の記録コンテンツを着脱可能な記録装置へ移動（以下、ムーブと称する）する機能に関する。
【背景技術】
【０００２】
近年デジタル映像信号処理技術の発展に伴い、デジタル放送を受信するデジタルチューナ内蔵テレビ（以下、ＤＴＶ）や、デジタル放送番組を録画・再生するデジタル記録装置（例えば、ＨＤＤレコーダやＤＶＤレコーダ等）のデジタルＡＶ装置が次々と製品化されている。
また、これらのデジタルＡＶ装置は、ＩＥＥＥ１３９４やＥｔｈｅｒｎｅｔ（登録商標）（登録商標）を用いてデジタル・コンテンツを伝送することが可能である。この場合、伝送路上での不正コピーを防止する技術としてＤＴＣＰ（Ｄｉｇｉｔａｌ  Ｔｒａｎｓｍｉｓｓｉｏｎ  Ｃｏｎｔｅｎｔｓ Ｐｒｏｔｅｃｔｉｏｎ）方式が規定されている。ＤＴＣＰ方式では各コンテンツに付加するためのコピーに関する条件を記載したコピー制御情報（例えば、"Ｃｏｐｙ Ｆｒｅｅ"（コピー無制限）、"Ｃｏｐｙ Ｎｅｖｅｒ"（コピー禁止）、"Ｃｏｐｙ Ｏｎｅ  Ｇｅｎｅｒａｔｉｏｎ"（コピー１世代可）、"Ｎｏ Ｍｏｒｅ Ｃｏｐｉｅｓ"（コピー不可）等）を規定しており、デジタル記録装置は" Ｃｏｐｙ Ｆｒｅｅ"または" Ｃｏｐｙ Ｏｎｅ  Ｇｅｎｅｒａｔｉｏｎ"のコンテンツのみを記録することができ、" Ｃｏｐｙ Ｏｎｅ  Ｇｅｎｅｒａｔｉｏｎ"のコンテンツを記録した場合にはコピー制御情報を"Ｎｏ Ｍｏｒｅ Ｃｏｐｉｅｓ"に変更し、それ以上記録することを禁止している。現在のデジタル放送は、"Ｃｏｐｙ Ｏｎｅ Ｇｅｎｅｒａｔｉｏｎ"であるコンテンツの割合が高い。
【０００３】
ここで、最近は大容量のＨＤＤを用いてコンテンツを記録するＨＤＤレコーダが急速に普及しているが、このようなＨＤＤレコーダは装置内に固定されたディスク容量に限りがあるため、ユーザはディスクの空き容量が少なくなってきた場合には保存しておくコンテンツをテープやＤＶＤなどの保存用メディアに蓄積できるようにしておく必要がある。
【０００４】
このような状況を鑑み、ＤＴＣＰ方式では、一度記録媒体に記録した" Ｎｏ Ｍｏｒｅ Ｃｏｐｉｅｓ"のコンテンツを他の記録媒体にコピーした後に削除あるいは再生不能化することにより、コンテンツの移動を行う“ムーブ機能”を規定している。ムーブ機能は、内蔵あるいはデジタル接続された一つの記録媒体に対してのみ行うことができ、ムーブ動作中にムーブ元とムーブ先の双方に同時に１分を超える長さのコンテンツが再生可能な状態であることを禁止している。上記ムーブ機能を実装する技術としては例えば特許文献１に記載されているものがある。
【０００５】
【特許文献１】特開２００４−３２６８９２号公報
【発明の開示】
【発明が解決しようとする課題】
【０００６】
しかしながら、ユーザが前記記録装置の空き容量が少なくなる度に別の記録媒体にムーブするのでは非常に手間がかかり、場合によっては予約した番組が容量不足のために記録できない状況が発生しうる。
また、ムーブ終了時にムーブ元のコンテンツを削除するため、ムーブ先の記録媒体の不足や誤った操作等によりムーブが失敗した場合、ユーザは二度とそのコンテンツを視聴することができなくなる可能性がある。
さらに、記録フォーマットによってはコンテンツを視聴する場合と同じ時間を要するため、ムーブ中に番組予約などの操作／実行ができない場合がある。
【０００７】
本発明の目的は、ユーザに対して、可能な限り安全に、確実に、そして簡単にムーブ実行できる機能を備えたコンテンツ記録再生装置を提供することにある。
【課題を解決するための手段】
【０００８】
上記課題を解決するために、本発明では、
ＨＤＤ等の記録媒体の空き容量が任意に設定した閾値以下になった場合、自装置の使用状況（例えば、予約録画やプログラム更新の設定状況等）をチェックし、空き時間を抽出する。
また、ムーブ先装置の記録媒体の空き容量や既に記録済みのコンテンツ情報、空き時間を取得し、これらの情報と前記自装置の空き時間を参照して、自装置内の記録済みコンテンツの中からムーブ対象のコンテンツを自動的に選定する。
そして、選定したコンテンツを所定の単位（例えば、約１分毎の単位）でファイル分割し、各ファイルをムーブするスケジュールを生成し、実行する。
【０００９】
また、ムーブ元およびムーブ先以外の他の装置がムーブ元あるいはムーブ先の装置に対してコンテンツ視聴要求などの比較的負荷の高い要求を発行した場合には、ムーブを中断し、前記のムーブのスケジュールを更新する。
【発明の効果】
【００１０】
本発明のコンテンツ記録装置によれば、ユーザが操作することなく自装置内の記録媒体の空き容量を所定の値に保つことが可能となり、容量不足によって新たなコンテンツが記録できない事態を防止することができる。
【発明を実施するための最良の形態】
【００１１】
以下、本発明の実施形態について図面を用いて説明する。
図１は本発明を説明するための一実施例であり、複数のコンテンツ記録再生装置を含むＡＶシステムの構成を示したものである。ＡＶシステムは家庭内のネットワーク環境下での使用を想定しており、ＨＤＤ内蔵ＤＴＶ１００、ＨＤＤレコーダ２００、ＤＴＶ３００Ａ、３００Ｂが互いにＥｔｈｅｒｎｅｔ（登録商標）２０によりハブ３０を介してデジタル接続されているものとし、部屋ＡにＤＴＶ１００とＨＤＤレコーダ２００、部屋ＢにＤＴＶ３００Ａ、部屋ＣにＤＴＶ３００Ｂを設置しているものとする。本実施例ではＥｔｈｅｒｎｅｔ（登録商標）を使用しているが、ＩＥＥＥ１３９４、無線、ＵＳＢ等のデジタルインタフェースを使用することも可能である。
【００１２】
ＤＴＶ１００は、アンテナ１０にて受信したデジタル放送番組を視聴することができ、内蔵したＨＤＤに該放送番組を蓄積することが可能である。また、他のＨＤＤレコーダ２００やＤＴＶ３００Ａ、３００Ｂに対してＥｔｈｅｒｎｅｔ（登録商標）２０を介して放送番組のデジタル出力や制御コマンドの送受信を行うことができる。
ＨＤＤ２００は、内蔵あるいは着脱可能なＨＤＤを備え、Ｅｔｈｅｒｎｅｔ（登録商標）２０経由で受信したコンテンツを記録することができる。
ＤＴＶ３００Ａ、３００Ｂは、部屋ＡにあるＤＴＶ１００あるいはＨＤＤ２００に記録したコンテンツをＥｔｈｅｒｎｅｔ（登録商標）２０経由で視聴することができる。
【００１３】
次に、図２を用いて、図１のＤＴＶ１００の一構成について説明する。ＤＴＶ１００は、チューナ処理部１０１、デスクランブラ１０２、デマルチプレクサ１０３、デコーダ１０４、入力処理部１０５、タイマー管理部１０６、記録／再生処理部１０７、デジタルＩ／Ｆ１０８、ＨＤＤ１０９、モニタ１１０、制御部１１１、デジタル入出力端子１１２から構成されている。
【００１４】
チューナ処理部１０１は、放送局から受信した複数のチャンネルから所望のチャンネルを選局し、デジタル変調された番組を復調する部分である。
デスクランブラ１０２は、サービス事業者と契約したチャンネルのみを受信可能とするためにかけられている放送番組のスクランブルを解除する部分である。
デマルチプレクサ１０３は、放送番組から音声データ、映像データを抽出する部分である。
【００１５】
デコーダ１０４は、放送番組やＨＤＤ１０９に記録されたコンテンツである圧縮された音声データや映像データを復号して、元の音声信号、映像信号に伸長する部分である。これらの信号は、モニタ１１０へ出力する。入力処理部１０５は、リモコンやタッチパネルなどを利用してユーザがＤＴＶ１００を操作する部分である。タイマー管理部１０６は、現在の時間情報や放送番組のタイマー予約を管理する部分である。記録／再生処理部１０７は、受信した放送番組をＨＤＤ１０９に記録するための記録制御と、該ＨＤＤ１０９に記録した放送番組を再生するための再生制御を行う部分である。
【００１６】
デジタルＩ／Ｆ１０８は、デジタル入出力端子１１２を介してＥｔｈｅｒｎｅｔ（登録商標）２０で接続した他のＡＶ装置（例えば、ＨＤＤ２００やＤＴＶ３００Ａ、３００Ｂ）との間でコンテンツや制御コマンドを送受信する部分であり、送信するコンテンツの暗号化や受信した暗号化コンテンツの復号化も行う。ＨＤＤ１０９は、放送番組を記録する内蔵メモリである。その他に着脱可能なＨＤＤや光ディスク、メモリカード、そしてこれらを組み合わせたハイブリッド形態などが考えられる。モニタ１１０は、放送番組やＨＤＤ１０９に記録されたコンテンツを表示する部分である。内蔵ではなく、ＤＴＶ１００に外付けの形態でも可能である。制御部１１０は、ＤＴＶ１００における各部の動作を統括的に制御する部分である。
【００１７】
同様に、図３を用いて、ＨＤＤレコーダ２００の一構成について説明する。ＨＤＤレコーダ２００は、入力処理部２０１、デジタルＩ／Ｆ２０２、タイマー管理部２０３、記録/再生処理部２０４、記録メモリ２０５、制御部２０６、デジタル入出力端子２０７から構成されている。入力処理部２０１は、リモコンやタッチパネルなどを利用してユーザがＨＤＤレコーダ２００を操作する部分である。
【００１８】
デジタルＩ／Ｆ２０２は、デジタル入出力端子２０７を介してＥｔｈｅｒｎｅｔ（登録商標）２０で接続した他のＡＶ装置（例えば、ＤＴＶ１００やＤＴＶ３００Ａ，３００Ｂ）との間でコンテンツや制御コマンドを送受信する部分であり、送信するコンテンツの暗号化や受信した暗号化コンテンツの復号化も行う。
【００１９】
タイマー管理部２０３は、現在の時間情報や放送番組のタイマー予約を管理する部分である。記録/再生処理部２０４は、デジタル入出力端子２０７を介して受信したコンテンツをＨＤＤ２０５に記録するための記録制御と、該ＨＤＤ２０５に記録したコンテンツを再生するための再生制御を行う部分である。ＨＤＤ２０５は、コンテンツを記録する内蔵あるいは着脱可能なメモリである。その他に光ディスク、メモリカード、そしてこれらを組み合わせたハイブリッド形態などが考えられる。制御部２０６は、ＨＤＤレコーダ２００における各部の動作を統括的に制御する部分である。ＤＴＶ３００Ａ、３００Ｂは、上記ＤＴＶ１００のタイマー管理部１０６、記録／再生処理部１０７、ＨＤＤ１０９を搭載しないこと以外は、ＤＴＶ１００と同様の構成とする。
【００２０】
次に、図１に示したＡＶシステムのうち、ホームサーバ的な存在である部屋Ａに設置したＤＴＶ１００のＨＤＤ１０９に記録した放送番組を、Ｅｔｈｅｒｎｅｔ（登録商標）２０経由でＨＤＤレコーダ２００のＨＤＤ２０５にムーブするための準備手順について以下記述する。
【００２１】
まず、図４を用いて、ＤＴＶ１００がムーブ処理を適切なタイミングで実行するために必要な手順４００を説明する。ＤＴＶ１００の制御部１１１は、常にＨＤＤ２０５の空き容量を監視し、空き容量が予め設定された閾値（例えば、ＨＤＤの全容量の２０％）を下回ると（ステップ４０１）、登録されたムーブ先装置があるか否かチェックする（ステップ４０２）。登録済みの装置がない場合は、ユーザにその旨を通知して設定してもらう、あるいはＥｔｈｅｒｎｅｔ（登録商標）２０上にＨＤＤを備えた装置が存在するかを自動的に検出し、任意の優先順位（例えば部屋Ａに存在している装置、あるいは着脱可能なＨＤＤを備えた装置から優先的に登録する等）にしたがってムーブ先装置を登録する（ステップ４０３）。本実施例では、ムーブ先装置をＨＤＤレコーダ２００とする。
【００２２】
その後、ＤＴＶ１００の制御部１１１は、タイマー管理部１０６で管理している予約情報を取得し、自装置の空き時間を抽出する（ステップ４０４）。同時に、登録済みの前記ムーブ先装置（ＨＤＤレコーダ２００）からＥｔｈｅｒｎｅｔ（登録商標）２０を介して各種の情報を取得する。例えば、ＨＤＤレコーダ２００のＨＤＤ２０５の空き容量や既に記録されているコンテンツに関する情報、タイマー管理部２０３で管理している予約情報等を取得する（ステップ４０５）。
【００２３】
次に、ムーブ先装置２００のＨＤＤ２０５に既に記録されたコンテンツのジャンル、自装置内のＨＤＤ１０９に記録されたコンテンツのジャンルや再生回数、記録日時等を基に、ユーザの嗜好を考慮して、ムーブ対象となるコンテンツを選定する（ステップ４０６）。そして該コンテンツを所定の単位でファイル分割する。本実施例では、例として約１分毎の単位でコンテンツを分割し、Ｎ個のファイルを生成するものとする（ステップ４０７）。その後、自装置１００およびムーブ先装置２００の空き時間を基に、ムーブを実行するタイムスケジュールを生成し、タイマー管理部１０６に登録する（ステップ４０８）。
最後に、ユーザに対してムーブのスケジュールを自動生成した旨を通知するために、例として図７に示すような画面表示を行う。
【００２４】
図７の（ａ）は、ＤＴＶ１００のモニタ１１０上に任意のマーク７００を点滅するなど、ユーザにムーブのスケジュールが生成されたことを通知する。ユーザがリモコン７０１で該マーク７００を指示すると、（ｂ）に示すようなムーブのスケジュール内容７０２をモニタ１１０上に表示する。これにより、ユーザは自動的に生成したスケジュールを確認することができ、該画面上の［変更］を指示して内容を変更することも可能である。
【００２５】
次に、図５を用いて、前記スケジュールに基づき、ＤＴＶ１００がＨＤＤレコーダ２００との間でムーブ処理を実行する手順５００について説明する。
ＤＴＶ１００のタイマー管理部１０６は、前記生成したタイムスケジュールで設定されたしムーブ開始時間になると、その旨を制御部１１１に通知する。該制御部１１１は、デジタルＩ／Ｆ１０８を介して、ＨＤＤレコーダ２００に対して今からコンテンツのムーブを開始することを通知する。これに対して、ＨＤＤレコーダ２００は、ムーブ対象のコンテンツに関する情報をＤＴＶ１００に対して要求すると、ＤＴＶ１００は該コンテンツの名前やジャンル、ファイル分割数などを返信する（ステップ５０１）。
【００２６】
次にムーブ回数（すなわちファイルの分割数）を管理する識別子ｎを初期化（ｎ＝１）し（ステップ５０２）、デジタルＩ／Ｆ１１２を介してＥｔｈｅｒｎｅｔ（登録商標）２０上でＨＤＤレコーダ２００からのＴＣＰコネクション確立要求を受信すると、ＤＴＶ１００の制御部１１１はムーブ先装置２００からのムーブ開始要求待ちとなる（ステップ５０３）。  
ここで、ムーブ開始要求待ちとして、例えばＨＴＴＰ（Ｈｙｐｅｒ Ｔｅｘｔ Ｔｒａｎｓｆｅｒ Ｐｒｏｔｏｃｏｌ）のＧＥＴ要求などが想定される。ＨＤＤレコーダ２００から分割したＮ個のファイルの内、ｎ個目のファイルのムーブ開始が要求されると、ＤＴＶ１００はｎ−１個目のファイルを削除あるいは再生不能にする。例えば、ＨＤＤレコーダ２００が３個目のファイルを要求した場合、ＤＴＶ１００は２個目のファイルを削除する（ステップ５０４）。
【００２７】
その後、ＤＴＶ１００は、デジタルＩ／Ｆ１０８を介してｎ個目のファイルをＨＤＤレコーダ２００に対して送信を開始する（ステップ５０５）。ＨＤＤレコーダ２００は、受信したファイルをＨＤＤ２０５に記録する。ＤＴＶ１００は、ｎ個目のファイルを最後まで送信すると、識別子ｎを＋１し（ステップ５０６）、ｎの値がＮ＋１と同じか否かチェックする（ステップ５０７）。
【００２８】
その結果、ｎ＜Ｎ＋１の場合、引き続きｎ＋１個目のファイルのムーブを実行するか否かをスケジュールから判定し（ステップ５０８）、実行する場合には、ＨＤＤレコーダ２００からのｎ＋１個目のファイルのムーブ開始要求を待つ（ステップ５０３）。一方、Ｎ個のファイル全ての送信を終了した場合やスケジュールに基づき一旦ムーブ処理を中断する場合には、ＨＤＤレコーダ２００間で確立したコネクションを破棄する（ステップ５０９）。
ここで、ユーザに対してムーブ処理を開始した旨を通知するために、ＨＤＤレコーダ２００では例として図８に示すような画面表示を行う。
【００２９】
図８の（ａ）は、ＨＤＤレコーダ２００の外付けのモニタ画面上に任意のマーク８００を点滅するなど、ユーザにムーブ処理が開始／実行したことを通知する。ユーザがリモコン８０１で該マーク８００を指示すると、（ｂ）に示すようなムーブ実行の状況８０２を表示する。同様の内容をＤＴＶ１００のモニタ１１０上で表示することも可能である。これにより、ユーザは自動的に開始したムーブ処理の状況を随時確認することが可能である。
【００３０】
次に、図６を用いて、ムーブ処理を中断する手順６００について説明する。
ＤＴＶ１００とＨＤＤレコーダ２００がムーブ処理を実行している場合に、部屋Ｂに設置したＤＴＶ３００Ａあるいは部屋Ｃに設置したＤＴＶ３００ＢからＥｔｈｅｒｎｅｔ（登録商標）２０経由でＤＴＶ１００に対して、ＤＴＶ１００内のＨＤＤ１０９に記録したコンテンツの視聴要求を発行すると（ステップ６０１）、ＤＴＶ１００の制御部１１１は、現状のムーブ処理の負荷状況と要求されたコンテンツを転送する場合の負荷状況を考慮し、ムーブ処理を中断するか否かを判断する（ステップ６０２）。
【００３１】
例えば、転送レートの高い高画質コンテンツをムーブ実行中に、同じく転送レートの高いコンテンツの視聴要求を受信した場合は、ＤＴＶ１００の処理負荷が高く、途中で映像が途切れる等のムーブ処理が失敗する可能性があるため、中断するような状況が想定される。この場合、ＤＴＶ１００の制御部１１１は、ＨＤＤレコーダ２００間のコネクションを破棄する、あるいは中断を通知するなどしてムーブ処理を中断する（ステップ６０３）。そして、中断したムーブ処理のコンテンツを次にいつムーブ処理を再開するかを決定し現状のムーブ・スケジュールを更新した後、ＤＴＶ３００ＡあるいはＤＴＶ３００Ｂに対して所望のコンテンツの送信を開始する。
【００３２】
ここで、中断したムーブ処理を再開する場合、ＤＴＶ１００は、中断した際に送信していたｎ個目のファイルの先頭から送信を再開する。ＨＤＤレコーダ２００は、中断した際に受信していたｎ個目のファイルを削除し、新たに受信したコンテンツの記録を再開する。
これにより、ユーザが操作することなく、安全にムーブ処理を中断／再開することができ、他の装置からの視聴要求に対しても応答することが可能となる。
【図面の簡単な説明】
【００３３】
【図１】本発明の実施形態であるシステムの一構成例。
【図２】本発明の実施形態であるＨＤＤ内蔵ＤＴＶの一ブロック構成例。
【図３】本発明の実施形態であるＨＤＤレコーダの一ブロック構成例。
【図４】本発明の実施形態であるＨＤＤ内蔵ＤＴＶでムーブのスケジュールを自動的に生成する手順を示す一シーケンス図。
【図５】本発明の実施形態であるＨＤＤ内蔵ＤＴＶとＨＤＤレコーダとの間のムーブ処理実行手順を示す一シーケンス図。
【図６】本発明の実施形態であるＨＤＤ内蔵ＤＴＶとＨＤＤレコーダとの間のムーブ処理中断手順を示す一シーケンス図。
【図７】本発明の実施形態であるＨＤＤ内蔵ＤＴＶがムーブのスケジュールを自動生成したことを通知するために表示する一画面例。
【図８】本発明の実施形態であるＨＤＤレコーダでムーブ処理を実行中であることを通知するために表示する一画面例。
【符号の説明】
【００３４】
１０…アンテナ
２０…Ｅｔｈｅｒｎｅｔ（登録商標）
３０…ハブ
１００…ＨＤＤ内蔵ＤＴＶ
２００…ＨＤＤレコーダ
３００Ａ、３００Ｂ…ＤＴＶ
１０４…デコーダ
１０５、２０１…入力処理部
１０６、２０３…タイマー管理部
１０７、２０４…記録／再生処理部
１０８、２０２…デジタルＩ／Ｆ
１０９、２０５…ＨＤＤ（内蔵／着脱可）
１１０…モニタ
１１１、２０６…制御部
１１２、２０７…デジタル端子
【図１】
2007193899.tif 000003
【図２】
2007193899.tif 000004
【図３】
2007193899.tif 000005
【図４】
2007193899.tif 000006
【図５】
2007193899.tif 000007
【図６】
2007193899.tif 000008
【図７】
2007193899.tif 000009
【図８】
2007193899.tif 000010
【手続補正書】
【提出日】平成18年3月15日(2006.3.15)
【手続補正１】
【補正対象書類名】明細書
【補正対象項目名】００２５
【補正方法】変更
【補正の内容】
【００２５】
次に、図５を用いて、前記スケジュールに基づき、ＤＴＶ１００がＨＤＤレコーダ２００との間でムーブ処理を実行する手順５００について説明する。
ＤＴＶ１００のタイマー管理部１０６は、前記生成したタイムスケジュールで設定されたしムーブ開始時間になると、その旨を制御部１１１に通知する。該制御部１１１は、デジタルＩ／Ｆ１０８を介して、ＨＤＤレコーダ２００に対して今からコンテンツのムーブを開始することを通知する。これに対して、ＨＤＤレコーダ２００は、ムーブ対象のコンテンツに関する情報をＤＴＶ１００に対して要求すると、ＤＴＶ１００は該コンテンツの名前やジャンル、ファイル分割数などを返信する（ステップ５０１）。
また、必要であれば前述したＤＴＣＰ方式などの機器認証処理及びコンテンツの暗号化に使用するコンテンツ鍵の共有処理を実行する。
【手続補正２】
【補正対象書類名】明細書
【補正対象項目名】００２６
【補正方法】変更
【補正の内容】
【００２６】
次にムーブ回数（すなわちファイルの分割数）を管理する識別子ｎを初期化（ｎ＝１）し（ステップ５０２）、デジタルＩ／Ｆ１１２を介してＥｔｈｅｒｎｅｔ（登録商標）２０上のＨＤＤレコーダ２００との間でＴＣＰコネクションを確立し、ＤＴＶ１００の制御部１１１はムーブ先装置２００からのムーブ開始要求待ちとなる（ステップ５０３）。
ここで、ムーブ開始要求待ちとして、例えばＨＴＴＰ（Ｈｙｐｅｒ Ｔｅｘｔ Ｔｒａｎｓｆｅｒ Ｐｒｏｔｏｃｏｌ）のＧＥＴ要求などが想定される。またＤＴＶ１００がムーブ先装置２００に対してＰＯＳＴ要求を発行することも想定される。  ＨＤＤレコーダ２００から分割したＮ個のファイルの内、ｎ個目のファイルのムーブ開始が要求されると、ＤＴＶ１００はｎ−１個目のファイルを削除あるいは再生不能にする。例えば、ＨＤＤレコーダ２００が３個目のファイルを要求した場合、ＤＴＶ１００は２個目のファイルを削除する（ステップ５０４）。
【手続補正３】
【補正対象書類名】明細書
【補正対象項目名】００３２
【補正方法】変更
【補正の内容】
【００３２】
ここで、中断したムーブ処理を再開する場合、ＤＴＶ１００は、中断した際に送信して
いたｎ個目のファイルの先頭から送信を再開する。ＨＤＤレコーダ２００は、中断した際
に受信していたｎ個目のファイルを削除し、新たに受信したコンテンツの記録を再開する
。
これにより、ユーザが操作することなく、安全にムーブ処理を中断／再開することがで
き、他の装置からの視聴要求に対しても応答することが可能となる。
ここで、ムーブ実行を通常のコンテンツ転送と同時に実行する場合、ムーブ転送を安全に実行するためにコネクションで使用するムーブ専用のポート番号を設定する方法が考えられる。
【手続補正４】
【補正対象書類名】図面
【補正対象項目名】図５
【補正方法】変更
【補正の内容】
【図５】
2007193899.tif 000011